(57)【要約】【課題】他方の接触測定子の支持を確実に行い、釘間隔を高精度に測定することができるようにする。【解決手段】遊技機用釘間隔測定装置１において、２本の障害釘の間隔に応じて互いに近接・離反可能な一対の測定用杆体２１，２２と、その一対の測定用杆体２１，２２の各先端に設けられた接触測定子３１，３２と、一対の測定用杆体２１，２２の間隔を計測表示する計測表示手段と、を備え、一方の接触測定子３１に、障害釘間直線方向と平行に固定軸３０を設け、この固定軸３０は、一端部３０１が一方の接触測定子３１の外表面３１７から突出し、他端部３０２が他方の接触測定子３２に設けた軸受３２９で受け止められ、また当該他方の接触測定子３２の外表面３２７から突出し、さらに当該他方の接触測定子３２に設けられた弾性部材２２８で軸受側に押圧されている、ことを特徴としている。【選択図】　図２
2004033366.tif 000002
【特許請求の範囲】
【請求項１】
遊技機に植設された障害釘の間隔を測定する遊技機用釘間隔測定装置において、
２本の障害釘の間隔に応じてその２本の障害釘を結ぶ障害釘間直線方向に沿って互いに近接・離反可能な一対の測定用杆体と、
上記一対の測定用杆体の各先端に設けられ、その外表面が障害釘に内方から接触する接触測定子と、
上記一対の測定用杆体の間隔を計測表示する計測表示手段と、を備え、
一方の接触測定子に、障害釘間直線方向と平行に固定軸を設け、
上記固定軸は、一端部が一方の接触測定子の外表面から突出し、他端部が他方の接触測定子に設けた軸受で受け止められ、また当該他方の接触測定子の外表面から突出し、さらに当該他方の接触測定子に設けられた弾性部材で軸受側に押圧されている、
ことを特徴とする遊技機用釘間隔測定装置。
【請求項２】
上記接触測定子は外表面が球面に形成されている、請求項１に記載の遊技機用釘間隔測定装置。
【発明の詳細な説明】
【０００１】
【発明の属する技術分野】
この発明は、遊技機に植設された障害釘の間隔を測定する遊技機用釘間隔測定装置に関するものである。
【０００２】
【従来の技術】
従来、遊技機に植設された障害釘の間隔を測定する遊技機用釘間隔測定装置として、例えば特開平８−２４４１２号公報に記載されたものが知られている。
【０００３】
【発明が解決しようとする課題】
しかし、上記従来の遊技機用釘間隔測定装置では、ガイドピンが一方の分割円柱部（接触測定子）に固定されるとともに他方の分割円柱部（接触測定子）を貫通しており、ガイドピンと他方の分割円柱部とは非接触の状態に保持されている。このため、ガイドピンを測定対象の２本の障害釘に載せて測定する際に、他方の分割円柱部は十分に支持されず、測定者の操作に応じて多少上下に振れることがある。このため、釘間隔の測定が精度良く行われない場合があった。
【０００４】
この発明は上記に鑑み提案されたもので、他方の接触測定子の支持を確実に行い、釘間隔を高精度に測定することができる遊技機用釘間隔測定装置を提供することを目的とする。
【０００５】
【課題を解決するための手段】
上記目的を達成するために、請求項１に記載の発明は、遊技機に植設された障害釘の間隔を測定する遊技機用釘間隔測定装置において、２本の障害釘の間隔に応じてその２本の障害釘を結ぶ障害釘間直線方向に沿って互いに近接・離反可能な一対の測定用杆体と、上記一対の測定用杆体の各先端に設けられ、その外表面が障害釘に内方から接触する接触測定子と、上記一対の測定用杆体の間隔を計測表示する計測表示手段と、を備え、一方の接触測定子に、障害釘間直線方向と平行に固定軸を設け、上記固定軸は、一端部が一方の接触測定子の外表面から突出し、他端部が他方の接触測定子に設けた軸受で受け止められ、また当該他方の接触測定子の外表面から突出し、さらに当該他方の接触測定子に設けられた弾性部材で軸受側に押圧されている、ことを特徴としている。
【０００６】
また、請求項２に記載の発明は、上記した請求項１に記載の発明の構成に加えて、上記接触測定子は外表面が球面に形成されている、ことを特徴としている。
【０００７】
【発明の実施の形態】
以下にこの発明の実施の形態を図面に基づいて詳細に説明する。
【０００８】
図１はこの発明の遊技機用釘間隔測定装置の要部構成を概略的に示す図である。この発明の遊技機用釘間隔測定装置１は、遊技機に植設された障害釘Ｋ，Ｋの間隔を測定する装置であり、測定体２と、計測表示手段４とを備えている。
【０００９】
測定体２は、２本の障害釘Ｋ，Ｋの障害釘間直線方向に沿ってその障害釘Ｋ，Ｋの間隔に応じて互いに近接・離反可能な一対の測定用杆体２１，２２と、この一対の測定用杆体２１，２２の各先端に設けられ、その外表面が２本の障害釘Ｋ，Ｋに内方から接触する接触測定子３１，３２とから成る。なお、ここで障害釘間直線方向は、測定対象の２本の障害釘Ｋ，Ｋを最短で結ぶ障害釘間直線ｍの方向をいう。
【００１０】
計測表示手段４は、測定用杆体２１，２２の根元側に設けられ、その一対の測定用杆体２１，２２の間隔を計測表示する。この計測表示手段４は筐体４０内に構成されている。
【００１１】
筐体４０内の一縁辺には、固定された支持軸４０１と、その支持軸４０１に対して移動可能な支持軸４０２とが設けられ、この２つの支持軸４０１，４０２に測定用杆体２１，２２の軸受孔２１ａ，２２ａが軸着され、それによって一方の固定されている測定用杆体２１に対して、他方の測定用杆体２２が図中Ｘ方向に近接離反可能となっている。この測定用杆体２１，２２の間にはバネ４０３が設けられ、このバネ４０３によって測定用杆体２１，２２は、互いに離反する方向に常時付勢されている。
【００１２】
計測表示手段４は、マイコン（マイクロコンピュータ）４１を中心に構成されている。このマイコン４１には、ＬＣＤ表示部４２、キーボード４８、釘幅測定用エンコーダ４４、ローリング用傾斜センサ４５、ピッチング用傾斜センサ４６およびホストコンピュータ通信部４７が接続されている。マイコン４１は、バッテリー４３からの駆動電圧で動作し、各種の計測制御を行う。
【００１３】
釘幅測定用エンコーダ４４は、測定用杆体２２に一体的に接続されている。釘間隔測定に際し、オペレータがバネ４０３の付勢力に抗して測定用杆体２１，２２同士を近接させ、２個の接触測定子３１，３２を測定対象の１対の障害釘Ｋ，Ｋに挿入すると、接触測定子３１，３２が障害釘Ｋ，Ｋに内方から当接し、釘幅測定用エンコーダ４４はそのときの測定用杆体２１，２２同士の距離を計測し、計測結果をマイコン４１に出力する。マイコン４１はその計測結果から障害釘Ｋ，Ｋの間隔を演算し演算結果をＬＣＤ表示部４２の液晶画面に表示する。
【００１４】
ホストコンピュータ通信部４７は、マイコン４１で得られた釘間隔測定結果をディジタル信号としてその測定箇所を示すデータとともにホストコンピュータ（図示省略）に送信する。
【００１５】
ローリング用傾斜センサ４５は測定用杆体２１，２２の釘間隔測定時の姿勢のうち上下方向の傾きを検出し、またピッチング用傾斜センサ４６は左右方向の傾きを検出し、各検出結果はマイコン４１に出力される。マイコン４１はその検出結果の各々をＬＣＤ表示部４２の液晶画面に表示する。
【００１６】
また、キーボード４８には各種キーが備えられ、押下されたキーに応じた信号がマイコン４１に出力され、マイコン４１はその信号に基づいて、各種コマンドやデータを認識し、所定の計測制御処理を行う。
【００１７】
次に、測定体の構成を図２、図３、図４および図５に基づいて説明する。
【００１８】
図２は測定体の構成例を示す斜視図、図３は測定体の構成例を示し、（ａ）は一側面図、（ｂ）は平面図、（ｃ）は他側面図である。図４は一方の測定用杆体および接触測定子を示し、（ａ）は一側面図、（ｂ）は平面図、（ｃ）は他側面図である。図５は他方の測定用杆体および接触測定子を示し、（ａ）は一側面図、（ｂ）は平面図、（ｃ）は他側面図である。これらの図において、測定体２は、上記したように、一対の測定用杆体２１，２２と、この一対の測定用杆体２１，２２の各先端に設けられた接触測定子３１，３２とから成る。
【００１９】
一方の測定用杆体２１は、基部２１０と、先端側が斜め下方に屈曲している腕部２１５とからなり、基部２１０には、支持軸４０１が軸着される軸受孔２１ａが設けられている。また、腕部２１５の先端に接触測定子３１が一体に設けられている。
【００２０】
他方の測定用杆体２２は、上記の一方の測定用杆体２１と同様に、基部２２０と、先端側が斜め下方に屈曲している腕部２２５とからなり、基部２２０には、支持軸４０２が軸着される軸受孔２２ａが設けられている。また、腕部２２５の先端に接触測定子３２が一体に設けられている。腕部２２５先端側の屈曲部２２６には、溝が形成されその溝底面は細長いバネ座２２７となっている。このバネ座２２７には、一本のバネ２２８が取り付けられている。このバネ２２８は一端が固定され、他端が下方に付勢されつつ接触測定子３２に臨んでいる。
【００２１】
接触測定子３１と接触測定子３２とは、平面視で全体としては略円形状（円形から各腕部側の円弧部分を取り除いたような形状）のものを分割した形状を有している。一方の接触測定子３１は、その平面視略円形状のものを、円中心から、腕部２１５側から見て斜め右上に略扇型にカットして形成された形状を有し、そのカットにより内側面３１１，３１２が形成されている。また、上面には２つの面３１３，３１４が形成され、下面にも２つの面３１５，３１６が形成され、先端に向けて厚みが小さくなっている。さらに、外表面３１７は球面の一部になっている。そして、接触測定子３１には、球中心を通るように、かつ上記の障害釘間直線方向と平行になるように固定軸３０が一体に設けられ、この固定軸３０は、一端部３０１が接触測定子３１の球面状の外表面３１７から突出し、他端が他方の接触測定子３２に向けて延出している。
【００２２】
他方の接触測定子３２は、平面視略円形状のものを、円中心から、腕部２２５側から見て斜め右上に略扇型にカットしたときのその鋭角の扇型部分に相当し、そのカットにより内側面３２１，３２２が形成されている。また、外表面３２７は球面の一部になっている。さらに、先端側は厚みが大きく形成され、背が高い柱状体３２３となっている。その柱状体３２３の上下は水平にカットされている。
【００２３】
この柱状体３２３と屈曲部２２６先端との間は、切り欠いて軸受３２９が形成されている。そして、上記の固定軸３０はその他端側がこの軸受３２９で受け止められ、また固定軸３０の他端部３０２が接触測定子３２の外表面３２７から突出している。
【００２４】
上記構成の遊技機用釘間隔測定装置１を用いて一対の障害釘の間隔を測定する場合、先ず固定軸３０が軸受３２９で受け止められ、かつバネ２２８で固定軸３０を軸受３２９に押圧した状態にし、上記したように、オペレータがバネ４０３の付勢力に抗して測定用杆体２１，２２同士を近接させ、その状態で接触測定子３１，３２を障害釘の間に挿入する。そして、接触測定子３１の先端面３１８を遊技盤面に突き当て、固定軸３０をその２本の障害釘に上方から近づけ載置する。そして、ＬＣＤ表示部４２でローリング用傾斜センサ４５の検出値、およびピッチング用傾斜センサ４６の検出値を確認し、その値がどちらも「０」となる姿勢にセットする。このとき、測定体２は上下左右に傾きがない姿勢にセットされている。測定はその姿勢で行われる。
【００２５】
このように、この発明では、釘間隔測定に際し、固定軸３０をバネ２２８で軸受３２９に押圧するようにしたので、他方の接触測定子３２は固定軸３０側に十分に支持されるようになる。したがって、接触測定子３２の上下の振れも発生せず、釘間隔を高精度に測定することができる。
【００２６】
また、接触測定子３１の先端面３１８は球面をなす外表面３１７の一部であり、かつ固定軸３０が球中心を通っているので、測定時の測定体２の姿勢が遊技盤面に対して上下に傾いていたとしても、遊技盤面から固定軸３０までの距離は常時球半径に保持される。したがって、上下の傾きが多少あっても測定誤発生せず、測定を容易にかつ速やかに行うことができる。
【００２７】
また、測定時に接触測定子３１，３２はその外表面３１７，３２７が障害釘と接触しており、この外表面３１７，３２７は球面であるので、障害釘と外表面３１７，３２７とはそれぞれ点接触となり、したがって、測定時の測定体２の姿勢が遊技盤面に対して左右に多少ずれていても、釘間隔測定誤差を極めて微少な程度に抑えることができ、この点からも測定を容易にかつ速やかに行うことができる。
【００２８】
さらに、釘間隔測定に際しては、ＬＣＤ表示部４２でローリング用傾斜センサ４５の検出値、およびピッチング用傾斜センサ４６の検出値を確認し、その値がどちらも「０」となるように姿勢をセットするので、ディジタル値に基づいて姿勢を高精度に制御することができ、上記した上下左右の傾きの影響を受けにくいことと相俟って、誤差の極めて少ない測定が可能となる。
【００２９】
なお、上記の説明では、バネ２２８で固定軸３０を押圧するようにしたが、バネでなくその他の弾性部材、例えば〜で押圧するようにしてもよい。
【００３０】
【発明の効果】
この発明は上記した構成からなるので、以下に説明するような効果を奏することができる。
【００３１】
請求項１に記載の発明では、固定軸が弾性部材で軸受側に押圧されているので、他方の接触測定子の支持を十分に行うことができ、その接触測定子の上下の振れも発生せず、したがって、釘間隔を高精度に測定することができる。
【００３２】
また、請求項２に記載の発明では、接触測定子は先端面が球面になっているので、測定時の姿勢が遊技盤面に対して上下に傾いていたとしても、遊技盤面から固定軸までの距離は常時球半径に保持される。したがって、上下の傾きによる測定誤差は発生せず、測定を容易にかつ速やかに行うことができる。
【００３３】
また、測定時に接触測定子はその外表面が障害釘と接触しており、この外表面は球面であるので、障害釘と接触測定子とは点接触となる。したがって、測定時の姿勢が遊技盤面に対して左右に多少ずれていても、釘間隔測定誤差を極めて微少な程度に抑えることができ、この点からも測定を容易にかつ速やかに行うことができる。
【図面の簡単な説明】
【図１】この発明の遊技機用釘間隔測定装置の要部構成を概略的に示す図である。
【図２】測定体の構成例を示す斜視図である。
【図３】測定体の構成例を示し、（ａ）は一側面図、（ｂ）は平面図、（ｃ）は他側面図である。
【図４】一方の測定用杆体および接触測定子を示し、（ａ）は一側面図、（ｂ）は平面図、（ｃ）は他側面図である。
【図５】他方の測定用杆体および接触測定子を示し、（ａ）は一側面図、（ｂ）は平面図、（ｃ）は他側面図である。
【符号の説明】
１　　　遊技機用釘間隔測定装置
２　　　測定体
２１　　　測定用杆体
２１ａ　　軸受孔
２１０　　　基部
２１５　　　腕部
２２　　　測定用杆体
２２ａ　　軸受孔
２２０　　　基部
２２５　　　腕部
２２６　　　屈曲部
２２７　　　バネ座
２２８　　　バネ
３０　　　固定軸
３０１　　　一端部
３０２　　　他端部
３１　　　接触測定子
３１１，３１２　　　内側面
３１３，３１４，３１５，３１６　　　面
３１７　　　外表面
３１８　　　先端面
３２　　　接触測定子
３２１，３２２　　　内側面
３２３　　　柱状体
３２７　　　外表面
３２９　　　軸受
４　　　計測表示手段
４０　　　筐体
４１　　　マイコン
４２　　　ＬＣＤ表示部
４３　　　バッテリー
４４　　　釘幅測定用エンコーダ
４５　　　ローリング用傾斜センサ
４６　　　ピッチング用傾斜センサ
４７　　　ホストコンピュータ通信部
４８　　　キーボード
４０１　　　支持軸
４０２　　　支持軸
４０３　　　バネ
Ｋ　　　障害釘
ｍ　　　障害釘間直線
【図１】
2004033366.tif 000003
【図２】
2004033366.tif 000004
【図３】
2004033366.tif 000005
【図４】
2004033366.tif 000006
【図５】
2004033366.tif 000007